(57)【要約】【課題】  現在視聴中の番組を他の装置やサーバ等との間で共有，流通可能とし、多彩且つ利便性が高くスムーズなコミュニケーションや、多様で有用且つ利便性の高いサービスを提供可能とする。【解決手段】  送信端末５１は、現在受信中のディジタル放送（送信ユーザ５０が現在視聴中のディジタル放送）のチャンネルや番組を特定するための番組情報を、所定の通信網を介して受信端末５２側へ送信する。受信端末５２は、送信端末５１から送られてきた番組情報により、その送信端末５１で現在受信されているディジタル放送のチャンネルや番組を、受信ユーザ５３に提示する。そして、受信ユーザ５３により、チャンネルや番組の選択と、ディジタル放送の選局操作がなされたとき、その選択と選局に応じてディジタル放送の受信を開始する。【選択図】  図１
2006108849.tif 000002
【特許請求の範囲】
【請求項１】
ディジタル放送を受信するためのディジタル放送受信手段と、
上記ディジタル放送受信手段が受信しているディジタル放送を再生するための放送再生手段と、
所定の通信網を介して、他のディジタル放送受信機能付き情報通信装置から送信されてきた信号を、少なくとも受信する通信手段と、
上記通信手段の受信信号から、上記他のディジタル放送受信機能付き情報通信装置のディジタル放送受信手段が受信しているディジタル放送を特定するための特定情報を抽出する情報抽出手段と、
上記情報抽出手段が上記受信信号から抽出した上記特定情報により特定されるディジタル放送を上記ディジタル放送受信手段に受信させる制御を行う制御手段とを有する
ことを特徴とするディジタル放送受信機能付き情報通信装置。
【請求項２】
請求項１記載のディジタル放送受信機能付き情報通信装置であって、
上記情報抽出手段が上記受信信号から、上記ディジタル放送により提供される複数のチャンネルの何れかを特定する特定情報を抽出したとき、上記制御手段は、当該特定情報により特定されるチャンネルのディジタル放送を、上記ディジタル放送受信手段に受信させる制御を行う
ことを特徴とするディジタル放送受信機能付き情報通信装置。
【請求項３】
請求項１記載のディジタル放送受信機能付き情報通信装置であって、
上記情報抽出手段が上記受信信号から、上記ディジタル放送により提供される複数のチャンネルの何れかを特定すると共に当該特定されたチャンネル内に含まれる複数の番組の何れかを特定する特定情報を抽出したとき、上記制御手段は、当該特定情報により特定されるチャンネル内の上記番組のディジタル放送を、上記ディジタル放送受信手段に受信させる制御を行う
ことを特徴とするディジタル放送受信機能付き情報通信装置。
【請求項４】
請求項１記載のディジタル放送受信機能付き情報通信装置であって、
上記情報抽出手段が上記受信信号から抽出した一以上の特定情報を画面上に一覧表示する表示手段を有する
ことを特徴とするディジタル放送受信機能付き情報通信装置。
【請求項５】
請求項４記載のディジタル放送受信機能付き情報通信装置であって、
使用者からの指示を取得する指示入力取得手段を有し、
上記制御手段は、上記表示手段上に一覧表示された上記一以上の特定情報の何れかが上記指示入力取得手段により指示された時、当該指示された特定情報により特定されるディジタル放送を、上記ディジタル放送受信手段に受信させる制御を行う
ことを特徴とするディジタル放送受信機能付き情報通信装置。
【請求項６】
請求項１記載のディジタル放送受信機能付き情報通信装置であって、
上記通信手段は、少なくとも通話及びデータ通信に使用される上記所定の通信網を介して、上記他のディジタル放送受信機能付き情報通信装置から送信されてきた信号を受信する
ことを特徴とするディジタル放送受信機能付き情報通信装置。
【請求項７】
請求項６記載のディジタル放送受信機能付き情報通信装置であって、
上記情報抽出手段は、上記通信手段が上記所定の通信網を介した所定フォーマットのデータ通信により受信した信号から、上記特定情報を抽出する
ことを特徴とするディジタル放送受信機能付き情報通信装置。
【請求項８】
ディジタル放送を受信するためのディジタル放送受信手段と、上記ディジタル放送受信手段が受信しているディジタル放送を再生するための放送再生手段と、上記ディジタル放送受信手段が受信しているディジタル放送から当該ディジタル放送を特定するための特定情報を抽出する情報抽出手段と、上記情報抽出手段が抽出した上記特定情報を含む信号を所定の通信網を介して受信側のディジタル放送受信機能付き情報通信装置へ少なくとも送信する通信手段と、を備えた送信側のディジタル放送受信機能付き情報通信装置と、
ディジタル放送を受信するためのディジタル放送受信手段と、上記ディジタル放送受信手段が受信しているディジタル放送を再生するための放送再生手段と、上記所定の通信網を介して上記送信側のディジタル放送受信機能付き情報通信装置から送信されてきた信号を少なくとも受信する通信手段と、上記通信手段の受信信号から上記送信側のディジタル放送受信機能付き情報通信装置のディジタル放送受信手段が受信している上記ディジタル放送を特定する上記特定情報を抽出する情報抽出手段と、上記情報抽出手段が上記受信信号から抽出した上記特定情報により特定されるディジタル放送を上記ディジタル放送受信手段に受信させる制御を行う制御手段と、を備えた受信側のディジタル放送受信機能付き情報通信装置とを有する
ことを特徴とする通信システム。
【請求項９】
所定の通信網を介して信号を送受信する通信手段と、
ディジタル放送を受信するためのディジタル放送受信手段と、
上記ディジタル放送受信手段が受信しているディジタル放送を再生するための放送再生手段と、
上記ディジタル放送受信手段が受信しているディジタル放送から、当該ディジタル放送を特定するための特定情報を抽出する情報抽出手段と、
上記情報抽出手段が抽出した上記特定情報に基づいて、上記通信手段により上記所定の通信網を介して所定の通信サーバへアクセスし、当該所定の通信サーバから、上記特定情報にて特定されるディジタル放送に関連する所定の関連情報を取得する関連情報取得手段とを有する
ことを特徴とするディジタル放送受信機能付き情報通信装置。
【請求項１０】
請求項９記載のディジタル放送受信機能付き情報通信装置であって、
上記情報抽出手段は、上記ディジタル放送から、当該ディジタル放送により提供される複数のチャンネルの何れかを特定する特定情報を抽出する
ことを特徴とするディジタル放送受信機能付き情報通信装置。
【請求項１１】
請求項９記載のディジタル放送受信機能付き情報通信装置であって、
上記情報抽出手段は、上記ディジタル放送から、当該ディジタル放送により提供される複数のチャンネルの何れかを特定すると共に当該特定されたチャンネル内に含まれる複数の番組の何れかを特定する特定情報を抽出する
ことを特徴とするディジタル放送受信機能付き情報通信装置。
【請求項１２】
請求項９記載のディジタル放送受信機能付き情報通信装置であって、
上記関連情報取得手段が取得した上記所定の関連情報を画面上に表示する表示手段を有する
ことを特徴とするディジタル放送受信機能付き情報通信装置。
【請求項１３】
請求項９記載のディジタル放送受信機能付き情報通信装置であって、
上記関連情報取得手段は、上記取得した所定の関連情報に基づいて、上記通信手段により上記所定の通信網を介して所定の情報提供サイトへアクセスし、当該所定の情報提供サイトから上記所定の関連情報に応じた情報を取得する
ことを特徴とするディジタル放送受信機能付き情報通信装置。
【請求項１４】
請求項９記載のディジタル放送受信機能付き情報通信装置であって、
上記ディジタル放送受信手段は、上記関連情報取得手段が取得した所定の関連情報に基づいて別のディジタル放送を受信する
ことを特徴とするディジタル放送受信機能付き情報通信装置。
【請求項１５】
請求項９記載のディジタル放送受信機能付き情報通信装置であって、
上記通信手段は、少なくとも通話及びデータ通信に使用される上記所定の通信網を介して、上記所定の通信サーバと通信を行う
ことを特徴とするディジタル放送受信機能付き情報通信装置。
【請求項１６】
所定の通信網を介して信号を送受信する通信手段と、ディジタル放送を受信するためのディジタル放送受信手段と、上記ディジタル放送受信手段が受信しているディジタル放送を再生するための放送再生手段と、上記ディジタル放送受信手段が受信しているディジタル放送から当該ディジタル放送を特定するための特定情報を抽出する情報抽出手段と、上記情報抽出手段が抽出した上記特定情報に基づいて、上記通信手段により上記所定の通信網を介して通信サーバへアクセスし、当該通信サーバから上記特定情報にて特定されるディジタル放送に関連する所定の関連情報を取得する関連情報取得手段とを備えたディジタル放送受信機能付き情報通信装置と、
上記所定の通信網を介して、上記ディジタル放送受信機能付き情報通信装置から送られてきた上記特定情報を受信し、その特定情報にて特定されるディジタル放送に関連する所定の関連情報を、当該ディジタル放送受信機能付き情報通信装置へ返信する通信サーバとを有する
ことを特徴とする通信システム。
【発明の詳細な説明】
【技術分野】
【０００１】
本発明は、少なくとも地上ディジタル放送等のような放送信号を受信する機能と所定の通信網を利用した通信機能とを有するディジタル放送受信機能付き情報通信装置、及び、そのディジタル放送受信機能付き情報通信装置を有する通信システムに関する。
【背景技術】
【０００２】
従来のアナログ放送は２０１１年に廃止が予定されており、その後はディジタル放送に移行することが決められている。ディジタル放送は、２０００年からＢＳ（Broadcasting Satellite）ディジタル放送の運用が開始されており、２００３年からは地上ディジタル放送の運用も開始されている。
【０００３】
このように、アナログ放送からディジタル放送への移行により、今後は、ディジタル放送の受信環境が一般家庭にも急速に浸透して行き、ディジタル放送受信機の販売台数も急激に伸びると予想されている。
【０００４】
また、ディジタル放送は、高精細高画質な映像と高音質な音声の提供を実現できることのみならず、強力な誤り訂正機能を備えているため、アナログ放送よりも電波環境の悪化や変動に強く、耐ノイズ性能が高いという特徴を備えている。
【０００５】
これらのことを踏まえ、現在は、携帯端末向けの地上ディジタル放送の実用化も進められており、また、ディジタル放送受信機能を搭載した携帯電話端末の出現も期待されている。
【０００６】
そして、今後は、ディジタル放送受信機能と共に通信機能を備えた装置があらゆる商品カテゴリで増えるものと予想されている。
【０００７】
なお、現在実施若しくは規格化されているディジタル放送受信機は、双方向通信機能を搭載しているものも多い。但し、当該双方向通信機能の利用形態としては、例えばクイズ番組の答えの送信、受信者の情報の送信などが主流であり、一般的に広く使われる認知度の高い機能とは言い難いのが現状である。
【０００８】
一方、ディジタル放送受信機能と共に通信機能を備えた装置において、通信機能の用途としては、例えば、特開２００３−３０９７３４の公開特許公報（特許文献１）に記載されているような用途が提案されている。
【０００９】
すなわち、この特開２００３−３０９７３４の公開特許公報には、予約する番組情報を電子メールを用いて送受信し、受信した電子メール内の予約番組情報に基づき予約登録を行う情報端末装置及び番組情報予約方法が開示されている。
【００１０】
より具体的に説明すると、当該公報には、放送情報と番組情報を受信する受信部と、電子メールの送信と受信を行う無線部と、番組情報を含むメッセージ情報を生成する電子メール生成部と、受信した電子メールから番組情報を取り出して番組情報格納部に記憶させる電子メール解析部と、番組情報格納部に記憶された番組情報の放送情報を受信させる番組情報解析部と、番組情報や放送情報を表示する表示部と、音声を再生する音声再生部とを備えた情報端末装置が示されており、或る情報端末装置にて受信された番組情報が電子メールにより別の情報端末装置へ送られ、この情報端末装置では、その電子メールから番組情報を取り出して番組情報格納部に登録し、その登録した番組情報の放送情報を受信して視聴を可能とする技術が開示されている。
【００１１】
【特許文献１】特開２００３−３０９７３４号公報（第２図）
【発明の開示】
【発明が解決しようとする課題】
【００１２】
ところで、ディジタル放送受信機能と共に通信機能を備えた装置において、上記通信機能の用途として、例えば、或る装置の利用者が現在どのような番組を視聴しているのかを、他の装置へ通知することができれば、その通知先の装置の利用者は、通知元の装置の利用者が現在視聴している番組を、略々同時刻に視聴することができるようになると考えられる。
【００１３】
すなわち、通知先の装置の利用者と通知元の装置の利用者とが、同時刻に同じ番組を視聴することができるようになれば、それら装置の利用者間において、その番組についての情報を共有することができることになり、より多彩で且つ利便性が高く、スムーズなコミュニケーションを行うことができるようになると考えられる。
【００１４】
また例えば、或る装置の利用者が現在視聴している番組を、所定のサーバへ通知することができれば、そのサーバは、当該通知元の装置の利用者つまりその番組を現在視聴している利用者に対して、例えばその番組に関連した、より多様で有用且つ利便性の高いサービスを提供できるようになると考えられる。
【００１５】
しかしながら、現在のところ、上述したような、或る装置の利用者が現在どのような番組を視聴しているのかを他の装置へ通知可能とするための技術や、或る装置の利用者が現在視聴している番組を所定のサーバへ通知可能とするための技術は、未だ存在しておらず、したがってその技術の実現が望まれている。
【００１６】
なお、上述した特開２００３−３０９７３４の公開特許公報記載の技術によれば、予約する番組情報を含む電子メールを作成及び送信することで、一方の情報端末装置と他方の情報端末装置との間で同じ予約番組情報を共有することができるが、上述したように、或る情報端末装置で現在視聴されている番組を他の情報端末装置や所定のサーバ等との間で共有若しくは流通させるようなことはできない。
【００１７】
本発明は、このような課題に鑑みてなされたものであり、ディジタル放送受信機能と共に通信機能を備えた情報通信装置において、或る情報通信装置の利用者が現在視聴している番組を他の装置やサーバ等との間で共有若しくは流通させることを可能とし、より多彩で且つ利便性が高くスムーズなコミュニケーションを行うことや、より多様で有用且つ利便性の高いサービスを提供可能とする、ディジタル放送受信機能付き情報通信装置及び通信システムを提供することを目的とする。
【課題を解決するための手段】
【００１８】
本発明のディジタル放送受信機能付き情報通信装置は、ディジタル放送を受信するためのディジタル放送受信手段と、そのディジタル放送を再生するための放送再生手段と、所定の通信網を介して他のディジタル放送受信機能付き情報通信装置から送信されてきた信号を少なくとも受信する通信手段と、通信手段の受信信号から、他のディジタル放送受信機能付き情報通信装置の放送再生手段が再生しているディジタル放送を特定するための特定情報を抽出する情報抽出手段と、その特定情報により特定されるディジタル放送をディジタル放送受信手段に受信させる制御を行う制御手段とを有することにより、上述した課題を解決する。
【００１９】
また、本発明の通信システムは、送信側のディジタル放送受信機能付き情報通信装置と受信側のディジタル放送受信機能付き情報通信装置の少なくとも二つの装置を有するシステムである。そして、送信側のディジタル放送受信機能付き情報通信装置は、ディジタル放送を受信するためのディジタル放送受信手段と、そのディジタル放送を再生するための放送再生手段と、受信中のディジタル放送からそのディジタル放送を特定するための特定情報を抽出する情報抽出手段と、その特定情報を含む信号を所定の通信網を介して受信側のディジタル放送受信機能付き情報通信装置へ少なくとも送信する通信手段とを備えている。また、受信側のディジタル放送受信機能付き情報通信装置は、ディジタル放送を受信するためのディジタル放送受信手段と、そのディジタル放送を再生するための放送再生手段と、所定の通信網を介して送信側のディジタル放送受信機能付き情報通信装置から送信されてきた信号を少なくとも受信する通信手段と、通信手段の受信信号から送信側のディジタル放送受信機能付き情報通信装置の放送再生手段が再生しているディジタル放送を特定する特定情報を抽出する情報抽出手段と、その特定情報により特定されるディジタル放送をディジタル放送受信手段に受信させる制御を行う制御手段とを備えている。
【００２０】
ここで、送信側となるディジタル放送受信機能付き情報通信装置から送信されてきた特定情報は、例えば、ディジタル放送により提供される複数のチャンネルの何れかを特定するための情報、或いは、ディジタル放送により提供される複数のチャンネルの何れかを特定すると共にそのチャンネル内に含まれる複数の番組の何れかを特定するための情報である。
【００２１】
すなわち、本発明によれば、送信側となるディジタル放送受信機能付き情報通信装置は、現在受信しているディジタル放送から、そのディジタル放送を特定するための特定情報を抽出可能となされており、その抽出した特定情報を、受信側となるディジタル放送受信機能付き情報通信装置へ通知可能となされている。一方、受信側のディジタル放送受信機能付き情報通信装置は、送信側の情報通信装置から送られてきた特定情報により、その送信側の情報通信装置が現在受信しているディジタル放送を認識できると共に、その同じディジタル放送を受信して再生することが可能となる。
【００２２】
次に、本発明のディジタル放送受信機能付き情報通信装置は、所定の通信網を介して信号を送受信する通信手段と、ディジタル放送を受信するためのディジタル放送受信手段と、そのディジタル放送を再生するための放送再生手段と、受信中のディジタル放送から当該ディジタル放送を特定するための特定情報を抽出する情報抽出手段と、その特定情報に基づいて、通信手段により所定の通信網を介して所定の通信サーバへアクセスし、当該所定の通信サーバから、特定情報にて特定されるディジタル放送に関連する所定の関連情報を取得する関連情報取得手段とを有することにより、上述した課題を解決する。
【００２３】
また、本発明の通信システムは、少なくともディジタル放送受信機能付き情報通信装置と通信サーバを有するシステムである。そして、ディジタル放送受信機能付き情報通信装置は、所定の通信網を介して信号を送受信する通信手段と、ディジタル放送を受信するためのディジタル放送受信手段と、そのディジタル放送を再生するための放送再生手段と、受信中のディジタル放送から当該ディジタル放送を特定するための特定情報を抽出する情報抽出手段と、その特定情報に基づいて、通信手段により所定の通信網を介して通信サーバへアクセスし、当該通信サーバから特定情報にて特定されるディジタル放送に関連する所定の関連情報を取得する関連情報取得手段とを備えている。また、通信サーバは、所定の通信網を介して、ディジタル放送受信機能付き情報通信装置から送られてきた特定情報を受信し、その特定情報にて特定されるディジタル放送に関連する所定の関連情報を、当該ディジタル放送受信機能付き情報通信装置へ返信する。
【００２４】
ここで、情報抽出手段がディジタル放送から抽出する特定情報は、例えばディジタル放送により提供される複数のチャンネルの何れかを特定するための情報、或いは、ディジタル放送により提供される複数のチャンネルの何れかを特定すると共にそのチャンネル内に含まれる複数の番組の何れかを特定するための情報である。
【００２５】
すなわち、本発明によれば、ディジタル放送受信機能付き情報通信装置は、現在受信しているディジタル放送から、そのディジタル放送を特定するための特定情報を抽出可能となされており、その抽出した特定情報を所定の通信サーバへ通知可能となされている。一方、通信サーバは、ディジタル放送受信機能付き情報通信装置から送られてきた特定情報により、当該ディジタル放送受信機能付き情報通信装置が現在受信しているディジタル放送を認識でき、そのディジタル放送に関連する情報を当該情報通信装置へ返信することで、その情報通信装置に提示したい情報を提供することができる。
【発明の効果】
【００２６】
本発明においては、現在受信中（利用者が視聴中）のディジタル放送を特定する情報を、他のディジタル放送受信機能付き情報通信装置や通信サーバ等へ送信可能となされているため、送り手側と受け手側とで、ディジタル放送を特定する情報を共有若しくは流通させることができ、したがって、より多彩で且つ利便性が高くスムーズなコミュニケーションを実現することや、より多様で有用且つ利便性の高いサービスを提供することが可能になっている。
【発明を実施するための最良の形態】
【００２７】
以下、図面を参照しながら、本発明の一実施形態について説明する。
【００２８】
もちろん、以下に説明する内容はあくまで一例であり、本発明はこの例に限定されないことは言うまでもない。
【００２９】
〔通信機能を備えたディジタル放送受信機の概略構成〕
図１には、本発明のディジタル放送受信機能付き情報通信装置の一実施形態として、通信機能を備えたディジタル放送受信機１の内部ブロック構成例を示す。
【００３０】
この図１において、制御部１１は、後述するメモリ１３に記憶されているプログラムコードに基づいて、このディジタル放送受信機１の各構成要素を制御するためのデバイスである。
【００３１】
操作部１２は、本実施形態のディジタル放送受信機１の図示しない筐体上に設けられているボタンやキー，回転摘み，スライド操作キー、その他の複数の操作子と、それら操作子がユーザにより操作された時に、当該操作子の操作に応じた操作データを発生する操作データ発生回路とを備えたデバイスである。
【００３２】
なお、本実施形態のディジタル放送受信機１がいわゆるリモコンにより遠隔操作可能である場合には、そのリモコンと、当該リモコンとの間で無線等により通信を行うための通信デバイスも操作部１２に含まれる。
【００３３】
メモリ１３は、ＲＯＭ（Read Only Memory）とＲＡＭ（Random Access Memory）を含むデバイスである。
【００３４】
ＲＯＭは、ＯＳ（Operating System）や制御部１１が各部を制御するための制御プログラムコードや、後述する放送データ処理部２５を動作させるためのプログラムコード等の各種プログラムコード、電子メールの作成や編集等を行うためのアプリケーション用のプログラムコード、各種の初期設定値、フォントデータ、辞書データ、その他、当該ディジタル放送受信機１に搭載される各種のアプリケーション用のプログラムコード、当該ディジタル放送受信機１の識別情報（ＩＤ）などを記憶している。このＲＯＭは、ＥＥＰＲＯＭ（Electrically Erasable Programmable Read-Only Memory）のような書き換え可能なＲＯＭを含み、電子メールデータ、ユーザ等により登録された電子メールアドレス、文字や辞書の登録データ、予測変換の学習データ、その他、各種のユーザ設定値等を保存することも可能となされている。
【００３５】
ＲＡＭは、制御部１１が各種のデータ処理を行う際の作業領域として、随時データを格納する。また、本実施形態において、詳細については後に述べるが、当該ＲＡＭは、ディジタル放送のサービス（チャンネル）とイベント（番組）を示す番組情報の種別を表す番組種別情報や、番組情報を送信する際に使用される通信媒体として例えばＨＴＴＰ（HyperText Transfer Protocol）／ＨＴＴＰＳ（Hypertext Transfer Protocol Security）や電子メール、その他の何れかの種別を表す通信種別情報、番組情報をＨＴＴＰ／ＨＴＴＰＳや電子メール、その他の通信媒体で送信する際の送信先アドレス情報、他から送られてきた番組情報を利用する際の利用方法を示す利用情報等を保持することも可能となされている。
【００３６】
通信インターフェイス（Ｉ／Ｆ）部１４は、本実施形態のディジタル放送受信機１が例えば外部の通信網と接続されたときに、予め定められた方式にて通信を行うためのデバイスである。
【００３７】
テレビジョン用アンテナ２２は、ディジタルテレビジョン放送電波を受信するためのデバイスである。
【００３８】
チューナ２１は、テレビジョン用アンテナ２２にて受信されたディジタルテレビジョン放送信号の選局用デバイスである。
【００３９】
復調部２３は、チューナ２１により選局されたディジタルテレビジョン放送信号を復調するデバイスである。
【００４０】
多重化分離部２４は、復調部２３から供給された多重化信号を映像データと音声データ、その他のディジタル放送データに分離するためのデバイスである。
【００４１】
映像デコード部２６は、上記多重化分離部２４にて分離された映像データを復号するためのデバイスである。
【００４２】
音声デコード部２７は、上記多重化分離部２４にて分離された音声データを復号するためのデバイスである。
【００４３】
表示部１５は、例えば液晶ディスプレイとそのディスプレイへの表示駆動回路とを含み、上記ディスプレイ上に、ディジタル放送の映像や設定操作画面、テキスト、その他各種の情報を表示するためのデバイスである。
【００４４】
音声出力部１６は、ディジタル／アナログ変換器と増幅器、スピーカを含み、ディジタル放送の音声や操作音等、ディジタル信号を聴取可能な音声に変換及び増幅してスピーカから出力するためのデバイスである。
【００４５】
放送データ処理部２５は、上記多重化分離部２４にて分離された映像データと音声データ以外のディジタル放送データの中から、当該ディジタル放送に関する情報であるサービス（チャンネル）やイベント（番組）を示す番組情報、映像データなど、必要な情報を抽出等するための所定のデータ処理を行うためのデバイスである。
【００４６】
データラインは、上述のように分離された映像データや音声データ、復号されたデータ、通信用データ等の各種データを伝送するための伝送ラインである。
【００４７】
制御ラインは、制御部１１からの制御データ等を各部に伝送したり、各部からのデータを制御部１１へ伝送するための伝送ラインである。
【００４８】
その他、これらの各デバイスは、全て図示しない電源回路から供給される電力によって動作する。
【００４９】
〔ディジタル放送の受信時におけるディジタル放送受信機の動作〕
次に、図１のディジタル放送受信機１において、ディジタル放送を受信するときの動作について説明する。
【００５０】
テレビジョン用アンテナ２２は、ディジタルテレビジョン放送電波を受信し、その受信したディジタルテレビジョン放送信号をチューナ２１へ出力する。
【００５１】
チューナ２１は、テレビジョン用アンテナ２２にて受信されたディジタルテレビジョン放送信号から、特定のテレビジョン放送信号を選択的に取り出し（つまり選局し）、その選局した特定のテレビジョン放送信号を復調部２３へ出力する。
【００５２】
復調部２３は、チューナ２１により選局されたディジタルテレビジョン放送信号を復調する。ここで、当該復調後の信号は、映像データと音声データ、その他のディジタル放送データが多重化されている信号（多重化信号）であり、当該多重化信号は多重化分離部２４へ送られる。
【００５３】
多重化分離部２４は、復調部２３から供給された多重化信号を映像データと音声データ、その他のディジタル放送データに分離する。上記多重化分離部２４にて分離された映像データは、データラインを介して映像デコード部２６へ送られ、音声データは、データラインを介して音声デコード部２７へ送られ、ディジタル放送データは、データラインを介して放送データ処理部２５へ送られる。
【００５４】
映像デコード部２６は、上記多重化分離部２４にて分離された映像データを復号し、データラインを介して表示部１４へ送る。なお、当該映像デコード部２６では、上記多重化分離部２４にて分離された映像データ以外の他の映像データを復号することも可能となされている。
【００５５】
音声デコード部２７は、上記多重化分離部２４にて分離された音声データを復号し、データラインを介して音声出力部１６へ送る。なお、当該音声デコード部２７では、上記多重化分離部２４にて分離された音声データ以外の他の音声データを復号することも可能となされている。
【００５６】
表示部１５は、上記映像デコード部２６から供給された映像データや上記放送データ処理部２５から供給された表示データを、必要に応じて合成して、ディスプレイ上に表示する。
【００５７】
音声出力部１６は、上記音声デコード部２７にて復号化された音声データを、ディジタルデータから聴取可能なアナログ信号に変換し、スピーカから出力することで音声を再生する。
【００５８】
また、放送データ処理部２５は、上記多重化分離部２４にて分離された映像データと音声データ以外のディジタル放送データの中から、サービス（チャンネル）やイベント（番組）を示す番組情報、映像データなど、必要な情報を抽出する。
【００５９】
ここで、サービス（チャンネル）を示す番組情報としては、例えば、サービス（チャンネル）の物理的周波数チャンネルを表す情報を挙げることができる。なお、当該サービス（チャンネル）を示す番組情報には、そのサービス（チャンネル）に関連する情報を提供する例えばウェブサイトのＵＲＬ（Uniform Resource Locator）を含めることも可能である。
【００６０】
また、イベント（番組）を示す番組情報としては、例えば、そのイベント（番組）を放送するサービス（チャンネル）の物理的周波数チャンネルを表す情報とイベント（番組）を特定する番組ＩＤを挙げることができる。なお、当該イベント（番組）を示す番組情報には、そのイベント（番組）に関連する情報を提供する例えばウェブサイトのＵＲＬなどを含めることも可能である。
【００６１】
そして、放送データ処理部２５は、上記抽出したデータを表示する場合には、当該データから表示データを生成し、データラインを介して表示部１４へ送る。
【００６２】
以上により、図１のディジタル放送受信機１のユーザは、ディジタル放送を視聴することができることになる。
【００６３】
〔データ放送利用時におけるディジタル放送受信機の動作〕
図１のディジタル放送受信機１は、例えばディジタル放送受信中（ユーザによるディジタル放送視聴中）において、通信インターフェイス部１４を介して外部と双方向データ通信を行うことも可能となされている。
【００６４】
以下、ディジタル放送視聴中に双方向データ通信を行うときの図１のディジタル放送受信機１の動作について説明する。
【００６５】
データ放送利用時において、制御部１１は、操作部１２からの操作データにより、例えばユーザが双方向通信を意図する操作を行ったことを検出したとき、その操作データを放送データ処理部２５に伝送する。
【００６６】
上記制御部１１から、ユーザが双方向通信を意図する操作を行ったことを示す操作データを受けると、放送データ処理部２５は、上記ディジタル放送データから、双方向通信の接続先や送信する情報を抽出し、それらのデータを、データラインを介して制御部１１へ伝送する。
【００６７】
この時の制御部１１は、放送データ処理部２５より伝送されてきたデータを、データラインを介して通信インターフェイス部１４に伝送する。
【００６８】
通信インターフェイス部１４は、上記制御部１１より伝送されてきたデータを元に、予め定められている通信方式に適合した通信信号を生成し、適切な通信媒体を用いて、当該通信信号を双方向通信の接続先へ送信する。
【００６９】
以上により、図１に示したディジタル放送受信機１において、双方向データ通信が実現される。
【００７０】
〔サーバ型放送受信時におけるディジタル放送受信機の動作〕
また、図１のディジタル放送受信機１は、通信インターフェイス部１４を介して、所定の放送サーバと接続し、その所定の放送サーバから提供されるディジタル放送を受信することも可能となされている。
【００７１】
なお、本実施形態にて例示している放送サーバとは、番組等の放送コンテンツを蓄積し、ユーザ等の端末（この例ではディジタル放送受信機１）からの要求に応じて、当該放送コンテンツを提供するサーバである。
【００７２】
また、この例で述べている受信形態はサーバ型放送の受信形態の一例であり、本実施形態では、上記放送コンテンツを蓄積した放送サーバから、通信網を介して提供される放送コンテンツを、ディジタル放送受信機１が受信する例を挙げている。
【００７３】
以下、サーバ型放送受信時における図１のディジタル放送受信機１の動作について説明する。
【００７４】
サーバ型放送受信時において、通信インターフェイス部１４は、当該ディジタル放送受信機１の外部に存在する所定の放送サーバより送出されたサーバ放送用の多重化信号を受信し、そのサーバ放送用の多重化信号を、データラインを介して多重化分離部２４に伝送する。
【００７５】
多重化分離部２４は、通信インターフェイス部１４より伝送されてきた多重化信号を、映像データ、音声データ、その他の放送データに分離する。上記映像データは映像デコード部２６へ、音声データは音声デコード部２７へ、その他の放送データは放送データ処理部２５へ、それぞれデータラインを介して送られる。
【００７６】
映像デコード部２６は、多重化分離部２４から送られてきた映像データを復号し、その復号後の映像データを、データラインを介して表示部１５へ送る。
【００７７】
音声デコード部２７は、多重化分離部２４から送られてきた音声データを復号し、その復号後の音声データを、データラインを介して音声出力部１６へ送る。
【００７８】
放送データ処理部２５は、多重化分離部２４より送られてきたその他の放送データから、サービス（チャンネル）やイベント（番組）を示す番組情報、映像データ等を抽出する。そして、それら抽出したデータを表示する場合には、当該データから表示データを生成し、その表示データをデータラインを介して表示部１５へ伝送する。
【００７９】
表示部１５は、上記映像デコード部２６から供給された映像データや、上記放送データ処理部２５から供給された表示データを、必要により合成して、ディスプレイ上に表示する。
【００８０】
音声出力部１６は、上記音声デコード部２７にて復号化された音声データを、ディジタルデータから聴取可能なアナログ信号に変換し、スピーカから出力することで音声を再生する。
【００８１】
以上により、図１のディジタル放送受信機１のユーザは、サーバ型放送によるディジタル放送を視聴することができることになる。
【００８２】
〔ディジタル放送受信機能を備えた携帯電話端末の概略構成及び動作〕
図２には、本発明のディジタル放送受信機能付き情報通信装置の他の実施形態として、ディジタル放送受信機能を備えた携帯電話端末１０の内部ブロック構成例を示す。
【００８３】
なお、この図２において、前述した図１の各デバイスと基本的に同等のデバイスについては、図１で使用した参照番号と同一の番号を付しており、それらについての説明は省略することとする。
【００８４】
図２に示すディジタル放送受信機能付き携帯電話端末１０において、携帯電話用アンテナ３１は、例えば内蔵アンテナであり通話やパケットデータ通信のための信号電波の送受信を行うためのデバイスである。
【００８５】
また、無線通信制御部３０は、所定の携帯電話通信網へ接続するための通信方式に応じた無線通信制御を行うためのデバイスであり、例えば、通話やパケットデータ通信のための送受信信号の周波数変換や変調，復調等を行う。なお、パケットデータ通信により送受信されるデータは、画像データや電子メール、プログラムデータ、その他の各種データである。
【００８６】
上記携帯電話用アンテナ３１により受信され、上記無線通信制御部３０による周波数変換と復調により得られた通話音声データは、データラインを介して制御部１１へ送られる。この時の制御部１１は、通話音声データを復号化し、その復号化後の音声データをデータラインを介して音声出力部１６へ送る。
【００８７】
この図２の例の場合、音声出力部１６は受話スピーカを備えており、当該受話スピーカは、ディジタル／アナログ変換器と増幅器を含み、通話音声のデータをディジタル／アナログ変換及び増幅した後、出力する。これにより、通話音声が得られることになる。
【００８８】
音声入力部１７は、送話用のマイクロホンであり、アナログ／ディジタル変換器と増幅器を含むデバイスである。
【００８９】
この音声入力部１７の送話用マイクロホンを介して入力された通話音声信号は、増幅器により所定のレベルに増幅された後、アナログ／ディジタル変換器によりディジタル音声データに変換され、データラインを介して制御部１１へ送られて符号化された後、無線通信制御部３０へ送られ、そこで更に変調、周波数変換等の各種処理を受けた後、携帯電話用アンテナ３１から送信される。これにより、音声入力部１７から入力された通話音声が通話相手先へ送られることになる。
【００９０】
なお、この図２のディジタル放送受信機能付き携帯電話端末１０の場合、操作部１２は、図示しない筐体上に設けられているテンキーや発話キー、クリアキー、終話／電源キー、マナーキー、メモキー、ボリュームキーなどの各キー、ジョグダイアル部等と、それら各キー等の操作に応じた操作データを発生する操作データ発生回路とを有している。
【００９１】
また、この図２のディジタル放送受信機能付き携帯電話端末１０の場合、音声出力部１６は、着信音用のスピーカも含んでいる。
【００９２】
その他、図２では図示を省略しているが、本実施形態のディジタル放送受信機能付き携帯電話端末１０は、着信通知用のバイブレータやＬＥＤ（発光ダイオード）、外部ケーブル用コネクタ、携帯電話端末の現在位置を検出するための測位デバイスであるＧＰＳ（Global Positioning System）通信部とそのアンテナ、光学レンズや撮像素子等からなり制御部１１による制御の元で静止画や動画の撮影を行うカメラ部、カメラ撮影時の補助ライト用ＬＥＤ及びその駆動回路、ラジオ放送電波を受信するためのラジオ用アンテナとラジオ放送受信回路、例えば着脱可能な二次電池であるバッテリ、そのバッテリからの電力を各部へ供給するパワーマネージメントＩＣなどを備えている。
【００９３】
なお、本実施形態の携帯電話端末１０におけるディジタル放送受信時の動作は、概ね図１にて説明したディジタル放送受信機１の例と同等であるため、ここではその動作の説明については省略する。
【００９４】
〔データ放送利用時における携帯電話端末の動作〕
次に、図２のディジタル放送受信機能付き携帯電話端末１０において、ディジタル放送視聴中に双方向データ通信を行う際の動作について説明する。
【００９５】
なお、本実施形態の携帯電話端末１０における双方向データ通信時の動作は、概ね図１にて説明したディジタル放送受信機１の例と同等であり、ここでは、前述と異なる動作についてのみ説明する。
【００９６】
データ放送利用時において、操作部１２からの操作データにより、例えばユーザが双方向通信を意図する操作を行ったことを制御部１１が検出し、その操作データに応じて放送データ処理部２５から双方向通信の接続先や送信する情報が制御部１１へ伝送されると、制御部１１は、当該放送データ処理部２５より伝送されてきたデータをデータラインを介して無線通信制御部３０へ伝送する。
【００９７】
無線通信制御部３０は、上記制御部１１より伝送されてきたデータを元に、所定の携帯電話通信網に適合した送信信号を生成し、その送信信号を携帯電話用アンテナ３１から送信する。
【００９８】
以上により、図２のディジタル放送受信機能付き携帯電話端末１０において、双方向データ通信が実現される。
【００９９】
〔サーバ型放送受信時における携帯電話端末の動作〕
次に、図２のディジタル放送受信機能付き携帯電話端末１０において、サーバ型放送の受信時の動作について説明する。
【０１００】
サーバ型放送受信時において、無線通信制御部３０は、携帯電話用アンテナ３１を通じ携帯電話網を介して所定の放送サーバに接続し、その所定の放送サーバより送出されたサーバ放送用の信号を受信する。そして、そのサーバ放送用の信号の復調により多重化信号を取り出し、そのサーバ放送用多重化信号をデータラインを介して多重化分離部２４に伝送する。
【０１０１】
以上により、図２のディジタル放送受信機能付き携帯電話端末のユーザは、サーバ型放送によるディジタル放送を視聴することができることになる。
【０１０２】
〔受信中のディジタル放送の番組情報の送信処理〕
上述の図１に示した通信機能付きのディジタル放送受信機１や図２に示したディジタル放送受信機能付きの携帯電話端末１０は、現在受信している（ユーザが視聴している）ディジタル放送のサービス（チャンネル）やイベント（番組）を示す番組情報を抽出し、必要に応じて、その番組情報を他の所望のディジタル放送受信機１や携帯電話端末１０等へ送信する機能を備えている。
【０１０３】
以下、説明を簡略化するため、図１のディジタル放送受信機１や図２の携帯電話端末１０をまとめてディジタル放送受信機能付き情報通信端末と記して説明する。
【０１０４】
図３には、本実施形態のディジタル放送受信機能付き情報通信端末が、現在受信中の番組情報を送信する際の制御部１１の処理のフローチャートを示す。
【０１０５】
図３において、制御部１１は、ディジタル放送受信中に、操作部１２からの操作データにより、現在受信中のディジタル放送の番組情報の送信を意図するユーザ操作を検出すると、ステップＳ１０にてこの図３のフローチャートの処理の実行を開始する。
【０１０６】
ステップＳ１０にて処理が開始されると、制御部１１は、先ず、ステップＳ１１の処理として、送信する番組情報の種別を表す番組種別情報を取得する。
【０１０７】
ここで、本実施形態において、制御部１１は、例えばメモリ１３内に記憶されている複数の番組種別情報の中から例えば操作部１２からのユーザ操作に応じた番組種別情報を読み出すこと、若しくは、予め決められた番組種別情報を上記メモリ１３から読み出すことにより、上記所望の番組種別情報を取得する。
【０１０８】
次に、制御部１１は、ステップＳ１２の処理として、ステップＳ１１にてメモリ１３から読み出された番組種別情報が、サービス（チャンネル）のみを特定する情報であるか、若しくは、サービス（チャンネル）とイベント（番組）の両方を特定する情報であるかを判断する。
【０１０９】
ここで、制御部１１は、上記番組種別情報が、サービス（チャンネル）のみを特定する情報であると判断した場合にはステップＳ１５の処理へ移行し、一方、サービス（チャンネル）とイベント（番組）の両方を特定する情報であると判断した場合にはステップＳ１３の処理に移行する。
【０１１０】
ステップＳ１３の処理に進むと、制御部１１は、放送データ処理部２５若しくは現在受信中のイベント（番組）情報が格納されているメモリから、現在受信中のディジタル放送のサービス（チャンネル）情報を取得した後、ステップＳ１４へ処理を進める。
【０１１１】
次に、制御部１１は、ステップＳ１４の処理に移行すると、放送データ処理部２５若しくは現在受信中のイベント（番組）情報が格納されているメモリから、現在受信中のディジタル放送のイベント（番組）情報を取得する。
【０１１２】
その後、制御部１１は、ステップＳ１６へ処理を進める。
【０１１３】
一方、ステップＳ１５の処理に進んだ場合、制御部１１は、放送データ処理部２５若しくは現在受信中のイベント（番組）情報が格納されているメモリから、現在受信中のディジタル放送のサービス（チャンネル）情報を取得する。
【０１１４】
その後、制御部１１は、ステップＳ１６へ処理を進める。
【０１１５】
ステップＳ１６の処理に進むと、制御部１１は、上述のようにして取得した種別の番組情報を送信する際に、例えばＨＴＴＰ／ＨＴＴＰＳや電子メール、その他の何れかの種別の通信媒体を用いるのかを示す通信種別情報を取得する。
【０１１６】
ここで、本実施形態において、制御部１１は、例えば、メモリ１３内に記憶されている複数の通信種別情報の中から、例えば操作部１２からのユーザ操作に応じた通信種別情報を読み出すこと、若しくは、予め決められた通信種別情報を上記メモリ１３から読み出すことにより、上記所望の通信種別情報を取得する。
【０１１７】
次に、制御部１１は、ステップＳ１７の処理として、ステップＳ１４にてメモリ１３から読み出された通信種別情報が、ＨＴＴＰ／ＨＴＴＰＳであるか、電子メールであるか、或いはその他であるかを判断する。
【０１１８】
ここで、制御部１１は、上記通信種別情報が、ＨＴＴＰ／ＨＴＴＰＳであると判断した場合にはステップＳ１８の処理へ移行し、電子メールであると判断した場合にはステップＳ２１の処理へ移行し、その他であると判断した場合にはステップＳ２４の処理へ移行する。
【０１１９】
ステップＳ１８の処理に進んだ場合、制御部１１は、ＨＴＴＰ／ＨＴＴＰＳにて番組情報を送信する際の送信先のアドレス情報を、メモリ１３から読み出す。
【０１２０】
次に、制御部１１は、ステップＳ１９へ処理を進め、上記ステップＳ１３及びステップＳ１４、或いはステップＳ１５で取得した番組情報から、ＨＴＴＰ／ＨＴＴＰＳにて送信するための送信データフォーマットの送信データを生成し、その送信データを一旦メモリ１３に格納する。
【０１２１】
そして、制御部１１は、ステップＳ２０へ処理を進め、上記ステップＳ１９にてメモリ１３に格納した送信データを、ステップＳ１８にて取得したアドレス情報にて示される送信先へ送信する。
【０１２２】
なお、図２に示した携帯電話端末１０の場合、制御部１１は、当該ステップＳ２０において、上記送信データを無線通信制御部３０及び携帯電話用アンテナ３１を介して上記送信先へ送信することになる。一方、図１に示したディジタル放送受信機１の場合、制御部１１は、当該ステップＳ２０において、上記送信データを通信インターフェイス部１４を介して上記送信先へ送信することになる。
【０１２３】
このステップＳ２０の処理後、制御部１１は、ステップＳ２７へ処理を進める。
【０１２４】
また、ステップＳ１７からステップＳ２１の処理に進んだ場合、制御部１１は、電子メールにて番組情報を送信する際の送信先のアドレス情報を、メモリ１３から読み出す。
【０１２５】
次に、制御部１１は、ステップＳ２２へ処理を進め、上記ステップＳ１３及びステップＳ１４、或いはステップＳ１５で取得した番組情報から、電子メールにて送信するための送信データフォーマットの送信データを生成し、その送信データを一旦メモリ１３に格納する。
【０１２６】
そして、制御部１１は、ステップＳ２３へ処理を進め、上記ステップＳ２２にてメモリ１３に格納した送信データを、ステップＳ２１にて取得したアドレス情報にて示される送信先へ送信する。
【０１２７】
なお、図２に示した携帯電話端末１０の場合、制御部１１は、当該ステップＳ２３において、上記送信データを無線通信制御部３０及び携帯電話用アンテナ３１を介して上記送信先へ送信することになる。一方、図１に示したディジタル放送受信機１の場合、制御部１１は、当該ステップＳ２３において、上記送信データを通信インターフェイス部１４を介して上記送信先へ送信することになる。
【０１２８】
このステップＳ２３の処理後、制御部１１は、ステップＳ２７へ処理を進める。
【０１２９】
また、ステップＳ１７からステップＳ２４の処理に進んだ場合、制御部１１は、上記その他の通信媒体にて番組情報を送信する際の送信先のアドレス情報を、メモリ１３から読み出す。
【０１３０】
次に、制御部１１は、ステップＳ２５へ処理を進め、上記ステップＳ１３及びステップＳ１４、或いはステップＳ１５で取得した番組情報から、上記その他の通信媒体にて送信するための送信データフォーマットの送信データを生成し、その送信データを一旦メモリ１３に格納する。
【０１３１】
そして、制御部１１は、ステップＳ２６へ処理を進め、上記ステップＳ２５にてメモリ１３に格納した送信データを、ステップＳ２４にて取得したアドレス情報にて示される送信先へ送信する。
【０１３２】
なお、図２に示した携帯電話端末１０の場合、制御部１１は、当該ステップＳ２６において、上記送信データを無線通信制御部３０及び携帯電話用アンテナ３１を介して上記送信先へ送信することになる。一方、図１に示したディジタル放送受信機１の場合、制御部１１は、当該ステップＳ２６において、上記送信データを通信インターフェイス部１４を介して上記送信先へ送信することになる。
【０１３３】
このステップＳ２６の処理後、制御部１１は、ステップＳ２７へ処理を進める。
【０１３４】
ステップＳ２７の処理に進むと、制御部１１は、この図３に示した番組情報送信処理を終了する。
【０１３５】
〔送信されてきた番組情報の受信処理〕
上述のようにして本実施形態のディジタル放送受信機能付き情報通信端末から送信された番組情報は、上記送信先としての他のディジタル放送受信機能付き情報通信端末により受信される。
【０１３６】
そして、上記番組情報を受信した他のディジタル放送受信機能付き情報通信端末では、例えば図４に示すような受信処理が行われることになる。
【０１３７】
図４には、本実施形態のディジタル放送受信機能付き情報通信端末が、送信されてきた番組情報を受信した際の制御部１１の処理のフローチャートを示す。
【０１３８】
図４において、制御部１１は、上述したＨＴＴＰ／ＨＴＴＰＳや電子メール、その他の通信媒体により送信されてきたデータが受信されたことを検出すると、ステップＳ３０にてこの図４のフローチャートの処理の実行を開始する。
【０１３９】
なお、図２に示した携帯電話端末１０の場合、制御部１１は、当該ステップＳ３０において、上記送信データを携帯電話用アンテナ３１及び無線通信制御部３０を介したデータの受信を検出することになる。一方、図１に示したディジタル放送受信機１の場合、制御部１１は、当該ステップＳ３０において、上記送信データを通信インターフェイス部１４を介したデータの受信を検出することになる。
【０１４０】
ステップＳ３０にて処理が開始されると、制御部１１は、先ず、ステップＳ３１の処理として、ＨＴＴＰ／ＨＴＴＰＳや電子メール、その他の通信媒体に応じたデータ受信処理のための制御を行い、その受信処理により得られたデータをデータラインを介して取得する。
【０１４１】
なお、図２に示した携帯電話端末１０の場合、制御部１１は、当該ステップＳ３１において、上記無線通信制御部３０に対してデータ受信処理を行わせることになる。
【０１４２】
一方、図１に示したディジタル放送受信機１の場合、制御部１１は、当該ステップＳ３１において、上記通信インターフェイス部１４に対してデータ受信処理を行わせることになる。
【０１４３】
次に、制御部１１は、ステップＳ３２へ処理を進め、ＨＴＴＰ／ＨＴＴＰＳや電子メール、その他の通信媒体に応じた受信データが、自己のアプリケーションに適合するか等のフォーマット解析を行った後、ステップＳ３３へ処理を進める。
【０１４４】
なお、受信データが自己のアプリケーションに適合しない場合にはここで処理が終了することになる。
【０１４５】
ステップＳ３３の処理に進むと、制御部１１は、ステップＳ３２でのフォーマット解析により得られたデータ内に、番組情報が存在するかどうか検索する。
【０１４６】
そして、制御部１１は、ステップＳ３３にて番組情報の存在を確認した時にはステップＳ３５へ処理を進め、そうでない時にはステップＳ３４へ処理を進める。
【０１４７】
ステップＳ３５の処理に進んだ場合、制御部１１は、ステップＳ３２でのフォーマット解析後のデータ内から抽出された番組情報をメモリ１３に格納した後、ステップＳ３２へ処理を戻す。
【０１４８】
すなわち、受信した番組情報は一つであるとは限らないので、ステップＳ３２〜ステップＳ３５の処理は受信した番組情報数だけ繰り返される。
【０１４９】
これにより、受信した番組情報が複数ある場合には、それら複数の番組情報がメモリ１３に格納されることになる。
【０１５０】
一方、ステップＳ３３にて受信データ内に番組情報の存在を確認できなかった時、若しくは、ステップＳ３２，ステップＳ３３，ステップＳ３５のループ処理が行われた結果、メモリ１３に未だ格納されていない新たな番組情報の存在を確認できず、ステップＳ３４の処理に進んだ場合、上記制御部１１は、既に取得されてメモリ１３に格納されている番組情報を当該メモリ１３から読み出し、それら番組情報の一覧表データを生成して表示部１５へ伝送する。
【０１５１】
これにより、表示部１５のディスプレイ上には、番組情報の一覧表が表示されることになる。
【０１５２】
上記ステップＳ３４の処理後、制御部１１は、ステップＳ３７へ処理を進め、この図４に示した受信処理を終了する。
【０１５３】
〔受信した番組情報の利用処理〕
上述のようにして番組情報を受信した本実施形態のディジタル放送受信機能付き情報通信端末は、その受信した番組情報を用いた利用処理を行う。
【０１５４】
図５には、本実施形態のディジタル放送受信機能付き情報通信端末が、送信されてきた番組情報を利用する際の制御部１１の処理のフローチャートを示す。
【０１５５】
図５において、制御部１１は、図４のステップＳ３４の処理においてディスプレイ上に番組情報の一覧表が表示されている間に、例えば、ユーザが操作部１２を操作し、上記一覧表の中から所望の番組情報を選択し、さらに当該選択した番組情報についての利用方法を指定した場合に、ステップＳ４０にてこの図５のフローチャートの処理の実行を開始する。
【０１５６】
なお、一覧表の中に番組情報が一つしかない場合には、例えばユーザによる指定無しにその番組情報が選択されても良い。また、予め一覧表の中から所定の欄の番組情報が選択されることについての設定がなされている場合も、例えばユーザによる指定無しにその欄の番組情報が選択されても良い。
【０１５７】
ステップＳ４０にて処理が開始されると、制御部１１は、先ず、ステップＳ４１の処理として、上述のように選択された番組情報をメモリ１３から読み出す。
【０１５８】
次に、制御部１１は、上記選択された番組情報の番組種別情報がサービス（チャンネル）のみを特定する情報であるか、若しくは、サービス（チャンネル）とイベント（番組）の両方を特定する情報であるかを判断する。
【０１５９】
ここで、制御部１１は、上記番組種別情報が、サービス（チャンネル）のみを特定する情報であると判断した場合にはステップＳ４４の処理へ移行し、一方、サービス（チャンネル）とイベント（番組）の両方を特定する情報であると判断した場合にはステップＳ４３の処理に移行する。
【０１６０】
ステップＳ４３の処理に進むと、制御部１１は、ステップＳ４０にて指定された利用方法に応じた利用情報をメモリ１３より読み出す。
【０１６１】
次に、制御部１１は、ステップＳ４５へ処理を進め、ステップＳ４３にて取得した利用情報に基づいて、番組情報を利用する処理を行う。
【０１６２】
ここで、番組情報の利用処理としては、例えばその番組情報により特定されるサービス（チャンネル）への選局及びその番組情報により特定されるイベント（番組）のディジタル放送の受信や、その番組情報により特定されるイベント（番組）に関連した情報を提供するウェブサイトへのアクセスなどを挙げることができる。
【０１６３】
なお、番組情報による利用処理は、ユーザが操作部１２を操作することによる開始指示に応じて実行される場合のみならず、例えば、番組情報の受信により自動的に実行されても良い。
【０１６４】
当該ステップＳ４５の処理後、制御部１１は、ステップＳ４７へ処理を進め、この図５に示した利用処理を終了する。
【０１６５】
また、ステップＳ４４の処理に進んだ場合、制御部１１は、ステップＳ４０にて指定された利用方法に応じた利用情報をメモリ１３より読み出す。
【０１６６】
次に、制御部１１は、ステップＳ４６へ処理を進め、ステップＳ４４にて取得した利用情報に基づいて、番組情報を利用する処理を行う。
【０１６７】
ここで、当該ステップＳ４６の場合、番組情報の利用処理としては、例えば、その番組情報により特定されるサービス（チャンネル）への選局及びそのサービス（チャンネル）のディジタル放送の受信や、その番組情報により特定されるサービス（チャンネル）に関連した情報を提供するウェブサイトへのアクセスなどを挙げることができる。
【０１６８】
当該ステップＳ４６の処理後、制御部１１は、ステップＳ４７へ処理を進め、この図５に示した利用処理を終了する。
【０１６９】
〔情報通信端末間での番組情報の送受信〕
次に、図６には、本実施形態の一方のディジタル放送受信機能付き情報通信端末（以下、送信端末５１とする）から他方のディジタル放送受信機能付き情報通信端末（以下、受信端末５２とする）へ番組情報を送信し、受信端末５２にてその番組情報の利用処理を行う際のシーケンスを示す。
【０１７０】
図６において、先ず、送信端末５１がディジタル放送の受信状態になっている時、当該送信端末５１に対して、送信端末５１のユーザ（以下、送信ユーザ５０とする）により、操作部１２の操作（送信操作Ｍ１０）を通じて、例えば、番組情報の種別としてサービス（チャンネル）のみを特定する種別が選択され、通信媒体の種別として電子メールが選択され、送信先として受信端末５２が指定されたとする。
【０１７１】
もちろん、ここで挙げた番組情報の種別や通信媒体の種別は一例であり、例えば番組情報の種別としてイベント（番組）が設定され、また通信媒体としてＨＴＴＰ／ＨＴＴＰＳ等が設定されても良い。
【０１７２】
この時、上記送信端末５１は、送信ユーザ５０からの送信操作Ｍ１０により設定された番組種別と通信種別と送信先の各情報に基づいて、前述の図３のフローチャートに示した送信処理を実行し、番組情報を受信端末５２へ通知（番組情報送信Ｍ１１）する。
【０１７３】
すなわち、送信端末５１から受信端末５２へは、サービス（チャンネル）のみ特定できる番組情報が電子メールにより送信される。
【０１７４】
この番組情報を受信した受信端末５２は、当該番組情報を元に、前述の図４のフローチャートに示した受信処理を実行し、その番組情報を当該受信端末５２のユーザ（以下、受信ユーザ５３とする）に提示する。
【０１７５】
すなわちこの時の受信端末５２は、上記送信端末５１から通知された電子メールをディスプレイ上に表示等することにより、受信ユーザ５３に番組情報を提示する。
【０１７６】
そして、この番組情報の提示を受けた受信ユーザ５３により、操作部１２の操作（選択／選局操作Ｍ１２）を通じて、サービス（チャンネル）の選択と当該サービス（チャンネル）に対する利用方法（アクション処理）として選局の指示が、受信端末５２に対してなされたとする。
【０１７７】
この時、受信端末５２は、上記受信ユーザ５２からの選択／選局操作Ｍ１２に基づいて、前述の図５のフローチャートに示した利用処理を実行し、上記サービス（チャンネル）の選局Ｍ１３、つまり送信端末５１で受信されているディジタル放送（送信ユーザ５０が視聴しているディジタル放送）のサービス（チャンネル）への選局Ｍ１３の動作を行う。
【０１７８】
以上により、送信端末５１は、自己が現在受信しているディジタル放送のサービス（チャンネル）を、受信端末５２へ通知することができ、また、受信端末５２は、送信端末５１で現在受信されているディジタル放送のサービス（チャンネル）を受信することができる。
【０１７９】
すなわち言い換えると、送信ユーザ５０は、現在視聴しているディジタル放送のサービス（チャンネル）を受信ユーザ５３に知らせることができ、また、受信ユーザ５３は、送信ユーザ５０が現在視聴しているディジタル放送のサービス（チャンネル）を視聴することができることになる。
【０１８０】
〔所定の通信サーバから送信された番組情報の受信〕
ここまでの説明では、ディジタル放送受信機能付き情報通信端末間で番組情報の送受信を行う例を述べたが、本発明のディジタル放送受信機能付き情報通信端末が受信する番組情報は、例えば所定の通信サーバにより送信されたものであっても良い。
【０１８１】
図７には、所定の通信サーバ６０が番組情報を送信し、その番組情報を本実施形態のディジタル放送受信機能付き情報通信端末が受信して利用する際のシーケンスを示す。
【０１８２】
なお、この図７の例では、所定の通信サーバ６０が送信した番組情報を、例えば第１，第２の二つのディジタル放送受信機能付き情報通信端末（以下、第１の受信端末６１，第２の受信端末６３とする）が受信する例を挙げている。
【０１８３】
図７の例において、通信サーバ６０は、例えば、複数のディジタル放送受信機能付き情報通信端末に対して例えば電子メールを一度に送信することが可能なメール送信サーバであるとする。この例では、当該通信サーバ６０は、番組情報の種別としてサービス（チャンネル）のみを特定する種別を設定し、通信媒体の種別として電子メールを設定し、送信先として第１，第２の受信端末６１，６３を指定したとする。
【０１８４】
もちろん、ここで挙げた番組情報の種別や通信媒体の種別は一例であり、例えば番組情報の種別としてイベント（番組）が設定され、また通信媒体としてＨＴＴＰ／ＨＴＴＰＳ等が設定されても良いし、送信先のディジタル放送受信機能付き情報端末も二つに限定されない。
【０１８５】
通信サーバ６０は、それぞれ設定した番組種別と通信種別と送信先の各情報に基づいて送信処理を実行し、番組情報を第１，第２の受信端末６１，６３へそれぞれへ通知（番組情報送信Ｍ２０，Ｍ２１）する。
【０１８６】
すなわち、通信サーバ６０からは、第１，第２の受信端末６１，６３に対して、サービス（チャンネル）のみ特定できる番組情報が電子メールにより送信される。
【０１８７】
なお、この図７の例において、通信サーバ６０が実行する送信処理は、前述の図３のフローチャートにおける送信処理と略々同様であるが、情報通信端末のユーザによるディジタル放送の視聴やユーザ操作に関連する処理については含まれない。
【０１８８】
上記通信サーバ６０からの番組情報を受信した第１の受信端末６１は、当該番組情報を元に、前述の図４のフローチャートに示した受信処理を実行し、その番組情報を当該第１の受信端末６１のユーザ（以下、第１の受信ユーザ６２とする）に提示する。
【０１８９】
すなわちこの時の第１の受信端末６１は、上記通信サーバ６０から通知された電子メールをディスプレイ上に表示等することにより、第１の受信ユーザ６２に番組情報を提示する。
【０１９０】
そして、この番組情報の提示を受けた第１の受信ユーザ６２により、操作部１２の操作（選択／選局操作Ｍ２２）を通じて、サービス（チャンネル）の選択と当該サービス（チャンネル）に対する利用方法（アクション処理）として選局の指示が、第１の受信端末６１に対してなされたとする。
【０１９１】
この時、第１の受信端末６１は、上記第１の受信ユーザ６２からの選択／選局操作Ｍ２２に基づいて、前述の図５のフローチャートに示した利用処理を実行し、上記サービス（チャンネル）の選局Ｍ２３、つまり通信サーバ６０から提供された番組情報に示されているディジタル放送のサービス（チャンネル）の選局Ｍ２３の動作を行う。
【０１９２】
これにより、通信サーバ６０は、第１の受信ユーザ６２に対して特に視聴させたいディジタル放送のサービス（チャンネル）を、第１の受信端末６１へ通知することができ、また、第１の受信端末６１は、通信サーバ６０から提供された番組情報に応じたディジタル放送のサービス（チャンネル）を受信すること、つまり第１の受信ユーザ６２は、通信サーバ６０から提供された番組情報に応じたディジタル放送のサービス（チャンネル）を視聴することができる。
【０１９３】
同様に、上記通信サーバ６０からの番組情報を受信した第２の受信端末６３は、当該番組情報を元に、前述の図４のフローチャートに示した受信処理を実行し、その番組情報を当該第２の受信端末６３のユーザ（以下、第２の受信ユーザ６４とする）に提示する。
【０１９４】
すなわち、この時の第２の受信端末６３は、上記通信サーバ６０から通知された電子メールを、ディスプレイ上に表示等することにより、第２の受信ユーザ６４に番組情報を提示する。
【０１９５】
そして、この番組情報の提示を受けた第２の受信ユーザ６４により、操作部１２の操作（選択／選局操作Ｍ２４）を通じて、サービス（チャンネル）の選択と当該サービス（チャンネル）に対する利用方法（アクション処理）として選局の指示が、第２の受信端末６３に対してなされたとする。
【０１９６】
この時、第２の受信端末６３は、上記第２の受信ユーザ６４からの選択／選局操作Ｍ２４に基づいて、前述の図５のフローチャートに示した利用処理を実行し、上記サービス（チャンネル）の選局Ｍ２５、つまり通信サーバ６０から提供された番組情報に示されているディジタル放送のサービス（チャンネル）の選局Ｍ２５の動作を行う。
【０１９７】
これにより、通信サーバ６０は、第２の受信ユーザ６４に対して視聴させたいディジタル放送のサービス（チャンネル）を、第２の受信端末６３へ通知することができ、また、第２の受信端末６３は、通信サーバ６０から提供された番組情報に応じたディジタル放送のサービス（チャンネル）を受信すること、つまり第２の受信ユーザ６４は、通信サーバ６０から提供された番組情報に応じたディジタル放送のサービス（チャンネル）を視聴することができる。
【０１９８】
そして、この図７の例によれば、一つの通信サーバ６０が多数のテレビジョン放送受信機能付き情報通信端末（受信端末６１，６３等）に対して番組情報を通知することができるため、通信サーバ６０から例えば放送広告の番組情報を通知すれば、当該放送広告を効果的に配信することができることになり、各情報通信端末のユーザにその放送広告等の視聴を促すことが可能となる。
【０１９９】
また、この図７の例において、通信サーバ６０上にて番組情報の予約情報を管理するようなことを行えば、各情報通信端末は、例えば、予約した番組の放送時間若しくはその直前に、その予約したディジタル放送のサービス（チャンネル），イベント（番組）を、上記通信サーバ６０から通知してもらうようなことが可能となる。
【０２００】
〔情報通信端末から所定の通信サーバへの番組情報の送信〕
また、本実施形態のディジタル放送受信機能付き情報通信端末は、例えば所定の通信サーバに対して番組情報を送信することも可能である。
【０２０１】
図８には、本実施形態のディジタル放送受信機能付き情報通信端末（以下、送信端末７１とする）から所定の通信サーバ７２へ番組情報を送信し、通信サーバ７２では、その番組情報の利用処理として、所定の通信コンテンツを送信端末７１へ提示するようにした場合のシーケンスを示す。
【０２０２】
すなわちこの図８の例において、通信サーバ７２は、送信端末７１からの番組情報を元に、その送信端末７１に提供するコンテンツを選択及び決定して送信することができるコンテンツサーバであるとする。
【０２０３】
図８において、送信端末７１がディジタル放送の受信状態になっている時、当該送信端末７１に対して、送信端末７１のユーザ（以下、送信ユーザ７０とする）により、操作部１２の操作（送信操作Ｍ３１）を通じて、例えば、番組情報の種別としてサービス（チャンネル）とイベント（番組）の両方を特定する種別が選択され、通信媒体の種別としてＨＴＴＰ／ＨＴＴＰＳが選択され、送信先として通信サーバ７２が指定されたとする。
【０２０４】
もちろん、ここで挙げた番組情報の種別や通信媒体の種別は一例であり、例えば番組情報の種別としてサービス（チャンネル）のみが設定され、また通信媒体として電子メール等が設定されても良い。
【０２０５】
この時、上記送信端末７１は、送信ユーザ７０からの送信操作Ｍ３１により設定された番組種別と通信種別と送信先の各情報に基づいて、前述の図３のフローチャートに示した送信処理を実行し、番組情報を通信サーバ７２へ通知（番組情報送信Ｍ３２）する。
【０２０６】
すなわち、送信端末７１から通信サーバ７２へは、サービス（チャンネル）とイベント（番組）の両方を特定できる番組情報がＨＴＴＰ／ＨＴＴＰＳにより送信される。
【０２０７】
上記送信端末７１からの番組情報を受信した通信サーバ７２は、当該番組情報を元に、前述の図４のフローチャートに示したのと略々同様の受信処理を実行する。
【０２０８】
ここで、この図８の例の場合、通信サーバ７２にて実行される受信処理のうち、図４のフローチャートのステップＳ３４では、前述したようなディスプレイへの番組情報の表示処理等は行われず、その代わりに、例えば、番組情報の受信が行われた旨の応答メッセージを送信端末７１へ返信するような処理が行われる。
【０２０９】
そして、通信サーバ７２は、送信端末７１から送られてきた番組情報に基づいて、前述の図５のフローチャートに示したのと略々同様の利用処理を実行する。
【０２１０】
なお、この図８の例において、通信サーバ７２が実行する利用処理は、前述の図５のフローチャートにおける利用処理と略々同様であるが、情報通信端末のユーザ操作に関連する処理等については含まれない。
【０２１１】
また、この図８の例の場合、通信サーバ７２にて実行される利用処理のうち、図５のフローチャートのアクション処理としては、番組情報に対応した通信コンテンツを提示して送信（通信コンテンツ送信Ｍ３３）するような処理が行われる。
【０２１２】
ここで、上記通信コンテンツとしては、例えば、送信端末７１にて現在受信しているディジタル放送に関連する情報提供するウェブサイトのＵＲＬや、送信端末７１にて現在受信しているディジタル放送に関連した別のディジタル放送のサービス（チャンネル）やイベント（番組）を特定する情報などが考えられる。
【０２１３】
以上により、送信端末７１は、自己が現在受信しているディジタル放送のイベント（番組）を、通信サーバ７２へ通知することができ、また、通信サーバ７２は、送信端末７１の送信ユーザ７０が現在視聴しているディジタル放送のイベント（番組）に適合した通信コンテンツを提供することができるようになる。
【０２１４】
したがって、上記送信端末７１は、上記通信サーバ７２から提供された通信コンテンツが、例えば、送信端末７１にて現在受信しているディジタル放送に関連する情報を提供するウェブサイトのＵＲＬである場合には、そのＵＲＬのウェブサイトへアクセスすることができるようになり、また、上記通信サーバ７２から提供された通信コンテンツが、例えば、送信端末７１にて現在受信しているディジタル放送に関連した別のディジタル放送のサービス（チャンネル）やイベント（番組）を特定する情報などである場合には、そのサービス（チャンネル）やイベント（番組）のディジタル放送を受信することができるようになる。
【０２１５】
その他、通信サーバ７２は、複数の送信端末からの番組情報を受信することができるため、それら各送信端末に対して、それぞれ受信しているディジタル放送に適合した通信コンテンツを提供することができる。
【０２１６】
〔サーバ型放送の受信と情報通信端末間での番組情報の送受信〕
上述の説明では、ディジタル放送受信機能付き情報通信端末がディジタル放送をリアルタイムに受信する例を挙げているが、本実施形態の情報通信端末が受信する放送は、例えばいわゆるビデオオンデマンドのように、所定の放送サーバからタイムシフトした状態で提供されるものであっても良い。
【０２１７】
図９には、ディジタル放送受信機能付き情報通信端末からの要求を受け、それに応じて放送サーバ８２が放送を行うサーバ型放送において、現在、サーバ型放送を受信しているディジタル放送受信機能付き情報通信端末（以下、送信端末８１とする）から、別のディジタル放送受信機能付き情報通信端末（以下、受信端末８３とする）へ番組情報を送信し、当該受信端末８３にてその番組情報の利用処理を行う際のシーケンスを示す。
【０２１８】
この図９において、送信端末８１は、放送サーバ８２からの放送を受信している状態のとき、当該送信端末８１に対して、送信端末８１のユーザ（以下、送信ユーザ８０とする）により、操作部１２の操作（送信操作Ｍ４０）を通じて、例えば、番組情報の種別としてサーバ型放送のイベント（番組）を特定する種別が選択され、通信媒体の種別として電子メールが選択され、送信先として受信端末８３が指定されたとする。
【０２１９】
もちろん、ここで挙げた番組情報の種別や通信媒体の種別は一例であり、例えば番組情報の種別としてサービス（チャンネル若しくは他の放送サーバ）が設定され、また通信媒体としてＨＴＴＰ／ＨＴＴＰＳ等が設定されても良い。
【０２２０】
この時、上記送信端末８１は、送信ユーザ８０からの送信操作Ｍ４０により設定された番組種別と通信種別と送信先の各情報に基づいて、前述の図３のフローチャートに示した送信処理を実行し、番組情報を受信端末８３へ通知（番組情報送信Ｍ４１）する。
【０２２１】
すなわち、送信端末８１から受信端末８３へは、イベント（番組）を特定できる番組情報が電子メールにより送信される。
【０２２２】
この番組情報を受信した受信端末８３は、当該番組情報を元に、前述の図４のフローチャートに示した受信処理を実行し、その番組情報を当該受信端末８３のユーザ（以下、受信ユーザ８４とする）に提示する。
【０２２３】
すなわちこの時の受信端末８３は、上記送信端末８１から通知された電子メールをディスプレイ上に表示等することにより、受信ユーザ８４に番組情報を提示する。
【０２２４】
そして、この番組情報の提示を受けた受信ユーザ８４により、操作部１２の操作（選択／利用操作Ｍ４２）を通じて、イベント（番組）の選択と当該イベント（番組）に対する利用方法（アクション処理）としてサーバ型放送の番組受信の指示が、受信端末８３に対してなされたとする。
【０２２５】
この時、受信端末８３は、上記受信ユーザ８４からの選択／利用操作Ｍ４２に基づいて、前述の図５のフローチャートに示した利用処理を実行する。
【０２２６】
但し、この図９の例の場合、図５のフローチャートのアクション処理としては、上記放送サーバ８２に対するイベント（番組）の受信要求Ｍ４３、つまり送信端末８１にて送信ユーザ８０が視聴したサーバ型放送のイベント（番組）の受信要求Ｍ４３の動作が行われる。
【０２２７】
上記受信端末８３から上記サーバ型放送のイベント（番組）の受信要求Ｍ４３を受けた放送サーバ８２は、その受信要求Ｍ４３に応じたサーバ型放送番組を、上記受信端末８３に対して送信（サーバ型放送番組送信Ｍ４４）する。
【０２２８】
以上により、送信端末８１は、自己が受信したサーバ型放送のイベント（番組）を、受信端末８３へ容易に通知することができ、また、受信端末８３は、送信端末８１で受信されたサーバ型放送のイベント（番組）を受信することができる。
【０２２９】
すなわち、送信ユーザ８０は、視聴したサーバ型放送のイベント（番組）を受信ユーザ８４に知らせることができ、また、受信ユーザ８４は、送信ユーザ８０が視聴したサーバ型放送のイベント（番組）を視聴することができることになる。
【０２３０】
特に、このサーバ型放送によれば、タイムシフトした状態でディジタル放送の受信が可能であるため、受信端末８３側の受信ユーザ８４は、送信端末８１側の送信ユーザ８０が視聴したディジタル放送を途中からではなく最初から視聴することが可能となり、受信ユーザ８４にとって高い利便性が実現されている。
【０２３１】
〔サーバ型放送と所定の通信サーバから送信された番組情報の受信〕
上述したようなサーバ型放送が行われる場合において、本発明のディジタル放送受信機能付き情報通信端末が受信する番組情報は、例えば所定の通信サーバにより送信されたものであっても良い。
【０２３２】
図１０には、放送サーバ９０により放送されるサーバ型放送の番組情報を所定の通信サーバ９１が送信し、その番組情報を本実施形態のディジタル放送受信機能付き情報通信端末が受信して利用する際のシーケンスを示す。
【０２３３】
なお、この図１０の例では、所定の通信サーバ９１が送信した番組情報を、例えば第１，第２の二つのディジタル放送受信機能付き情報通信端末（以下、第１の受信端末９２，第２の受信端末９４とする）が受信する例を挙げている。
【０２３４】
図１０の例において、通信サーバ９１は、例えば、複数のディジタル放送受信機能付き情報通信端末に対して例えば電子メールを一度に送信することが可能なメール送信サーバであるとする。なお、この図１０に示した例では、当該通信サーバ９１は、番組情報の種別として、サーバ型放送のイベント（番組）を特定する種別を設定し、通信媒体の種別として電子メールを設定し、送信先として第１，第２の受信端末９２，９４を指定したとする。
【０２３５】
もちろん、ここで挙げた番組情報の種別や通信媒体の種別は一例であり、例えば番組情報の種別としてサービス（チャンネル若しくは他の放送サーバ）が設定され、また通信媒体としてＨＴＴＰ／ＨＴＴＰＳ等が設定されても良いし、送信先のディジタル放送受信機能付き情報端末も二つに限定されない。
【０２３６】
通信サーバ９１は、それぞれ設定した番組種別と通信種別と送信先の各情報に基づいて送信処理を実行し、サーバ型放送の番組情報を第１，第２の受信端末９２，９４へそれぞれへ通知（番組情報送信Ｍ５０，Ｍ５１）する。
【０２３７】
すなわち、通信サーバ９１からは、第１，第２の受信端末９２，９４に対して、放送サーバ９０のイベント（番組）を特定できる番組情報が電子メールにより送信される。
【０２３８】
なお、この図１０の例において、通信サーバ９１が実行する送信処理は、前述の図３のフローチャートにおける送信処理と略々同様であるが、この例の場合には、前述のような情報通信端末のユーザによるディジタル放送の視聴やユーザ操作に関連する処理については含まれない。
【０２３９】
上記通信サーバ９１からの番組情報を受信した第１の受信端末９２は、当該番組情報を元に、前述の図４のフローチャートに示したのと略々同様の受信処理を実行し、その番組情報を当該第１の受信端末９２のユーザ（以下、第１の受信ユーザ９３とする）に提示する。
【０２４０】
すなわちこの時の第１の受信端末９２は、上記通信サーバ９１から通知された電子メールをディスプレイ上に表示等することにより、第１の受信ユーザ９３に番組情報を提示する。
【０２４１】
そして、この番組情報の提示を受けた第１の受信ユーザ９３により、操作部１２の操作（選択／利用操作Ｍ５２）を通じて、イベント（番組）の選択と、その利用方法（アクション処理）としてサーバ型放送の受信指示が、第１の受信端末９２に対してなされたとする。
【０２４２】
この時、第１の受信端末９２は、上記第１の受信ユーザ９３からの選択／利用操作Ｍ５２に基づいて、前述の図５のフローチャートに示した利用処理を実行する。
【０２４３】
但し、この図１０の例の場合、図５のフローチャートのアクション処理としては、放送サーバ９０に対するイベント（番組）の受信要求Ｍ５４、つまり通信サーバ９１から提供された番組情報に示されているサーバ型放送のイベント（番組）の受信要求Ｍ５４の動作が行われる。
【０２４４】
上記第１の受信端末９２から上記サーバ型放送のイベント（番組）の受信要求Ｍ５４を受けた放送サーバ９０は、その受信要求Ｍ５４に応じたサーバ型放送番組を、上記第１の受信端末９２に対して送信（サーバ型放送番組送信Ｍ５６）する。
【０２４５】
これにより、通信サーバ９０は、第１の受信ユーザ９３に対して視聴させたいサーバ型放送のイベント（番組）を、第１の受信端末９２へ通知することができ、また、第１の受信端末９２は、当該通信サーバ９０から提供された番組情報に応じたサーバ型放送のイベント（番組）を受信すること、つまり、第１の受信ユーザ９３は、上記通信サーバ９０から提供された番組情報に応じたサーバ型放送のイベント（番組）を視聴することが可能となる。
【０２４６】
同様に、上記通信サーバ９１からの番組情報を受信した第２の受信端末９４は、当該番組情報を元に、前述の図４のフローチャートに示したのと略々同様の受信処理を実行し、その番組情報を当該第２の受信端末９４のユーザ（以下、第２の受信ユーザ９５とする）に提示する。
【０２４７】
すなわちこの時の第２の受信端末９４は、上記通信サーバ９１から通知された電子メールをディスプレイ上に表示等することにより、第２の受信ユーザ９５に番組情報を提示する。
【０２４８】
そして、この番組情報の提示を受けた第２の受信ユーザ９５により、操作部１２の操作（選択／利用操作Ｍ５３）を通じて、イベント（番組）の選択と、その利用方法（アクション処理）としてサーバ型放送の受信指示が、第２の受信端末９４に対してなされたとする。
【０２４９】
この時、第２の受信端末９４は、上記第２の受信ユーザ９５からの選択／利用操作Ｍ５３に基づいて、前述の図５のフローチャートに示した利用処理を実行する。
【０２５０】
但し、この図１０の例の場合、図５のフローチャートのアクション処理としては、放送サーバ９０に対するイベント（番組）の受信要求Ｍ５５、つまり通信サーバ９１から提供された番組情報に示されているサーバ型放送のイベント（番組）の受信要求Ｍ５５の動作が行われる。
【０２５１】
上記第２の受信端末９４から上記サーバ型放送のイベント（番組）の受信要求Ｍ５５を受けた放送サーバ９０は、その受信要求Ｍ５５に応じたサーバ型放送番組を、上記第２の受信端末９４に対して送信（サーバ型放送番組送信Ｍ５７）する。
【０２５２】
これにより、通信サーバ９０は、第２の受信ユーザ９５に対して視聴させたいサーバ型放送のイベント（番組）を、第２の受信端末９４へ通知することができ、また、第２の受信端末９４は、通信サーバ９０から提供された番組情報に応じたサーバ型放送のイベント（番組）を受信すること、つまり第２の受信ユーザ９５は、通信サーバ９０から提供された番組情報に応じたサーバ型放送のイベント（番組）視聴することができる。
【０２５３】
〔実施形態のまとめ〕
以上説明したように、本実施形態によれば、現在視聴中のディジタル放送のサービス（チャンネル）やイベント（番組）を他者（別の情報通信端末や通信サーバ等）に容易に通知することができ、且つ、受信した側でも、その通知されたサービス（チャンネル）やイベント（番組）を視聴したり認識したりできるため、それら両者の間で情報の共有をスムーズに行うことができる。
【０２５４】
すなわち、本実施形態によれば、ディジタル放送受信機能を備えた情報通信端末間で番組情報を送受信したり、所定の通信サーバから情報通信端末へ番組情報を送信することにより、情報通信端末や通信サーバとの間で番組情報を共有若しくは流通させることができ、その結果、より多彩で且つ利便性が高くスムーズなコミュニケーションを行うことや、より多様で有用且つ利便性の高いサービスを提供することが可能となっている。
【０２５５】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０２５６】
例えば、上述の実施形態では、ディジタルテレビジョン放送を例に挙げたが、本発明はディジタルラジオ放送についても適用可能である。
【０２５７】
また、上述の実施形態では、通信機能を備えたディジタル放送受信機やディジタル放送受信機能を備えた携帯電話端末を例に挙げたが、本発明は、その他に、ディジタル放送受信機能と通信機能を備えたＰＤＡ装置（PDA：Personal Digital Assistants）やカーナビゲーション装置、ポータブルオーディオビジュアル機器等、各種の電子機器にも適用可能である。
【図面の簡単な説明】
【０２５８】
【図１】本発明実施形態の通信機能を備えたディジタル放送受信機の概略的な内部構成例を示すブロック図である。
【図２】本発明実施形態のディジタル放送受信機能を備えた携帯電話端末の概略的な内部構成例を示すブロック図である。
【図３】本発明実施形態のディジタル放送受信機能付き情報通信端末が、現在受信しているディジタル放送の番組情報を送信する際の制御部における処理の流れを示すフローチャートである。
【図４】本発明実施形態のディジタル放送受信機能付き情報通信端末が、他の情報通信端末から送信されてきた番組情報を受信した際の制御部における処理の流れを示すフローチャートである。
【図５】本発明実施形態のディジタル放送受信機能付き情報通信端末が、他の情報通信端末から送信されてきた番組情報を利用する際の制御部における処理の流れを示すフローチャートである。
【図６】本発明実施形態にかかる送信端末から受信端末へ番組情報を送信し、受信端末にてその番組情報の利用処理を行う際の処理の流れを示すシーケンス図である。
【図７】本発明実施形態において、通信サーバが番組情報を送信し、その番組情報を本実施形態のディジタル放送受信機能付き情報通信端末が受信して利用する際の処理の流れを示すシーケンス図である。
【図８】本発明実施形態にかかる送信端末から通信サーバへ番組情報を送信し、通信サーバから番組情報に応じた通信コンテンツを送信端末へ提示する際の処理の流れを示すシーケンス図である。
【図９】サーバ型放送において、本発明実施形態にかかる送信端末から受信端末へ番組情報を送信し、その受信端末にて番組情報の利用処理を行う際の流れを示すシーケンス図である。
【図１０】サーバ型放送の番組情報を通信サーバが送信し、その番組情報を本実施形態のディジタル放送受信機能付き情報通信端末が受信して利用する際の流れを示すシーケンス図である。
【符号の説明】
【０２５９】
１  通信機能付きのディジタル放送受信機、１０  ディジタル放送受信機能付きの携帯電話端末、１１  制御部、１２  操作部、１３  メモリ、１４  通信インターフェイス部、１５  表示部、１６  音声出力部、２１  テレビジョン受信用のチューナ、２２  テレビジョン用アンテナ、  ２３  復調部、２４  多重化分離部、２５  放送データ処理部、２６  映像デコード部、２７  音声デコード部、３０  携帯電話用の無線通信制御部、３１  携帯電話用アンテナ、５０，７０，８０  送信ユーザ、５１，７１，８１  送信端末、５２，８３  受信端末、５３，８４  受信ユーザ、６０，７２，９１  通信サーバ、６１，９２  第１の受信端末、６２，９３  第１の受信ユーザ、６３，９４  第２の受信端末、６４，９５  第２の受信ユーザ、８２，９０  放送サーバ
【図１】
2006108849.tif 000003
【図２】
2006108849.tif 000004
【図３】
2006108849.tif 000005
【図４】
2006108849.tif 000006
【図５】
2006108849.tif 000007
【図６】
2006108849.tif 000008
【図７】
2006108849.tif 000009
【図８】
2006108849.tif 000010
【図９】
2006108849.tif 000011
【図１０】
2006108849.tif 000012